(57)【要約】      （修正有）【課題】タイヤ空洞内において、組立体の回転に伴う遠心力により、リムの外周面からタイヤ半径方向に立ち上がり状態を維持し易くし、耐久性を有し、かつ、騒音低減効果のある吸音装置を備えた空気入りタイヤとリムとの組立体を提供する。【解決手段】空気入りタイヤとリムとの組立体は、空気入りタイヤ１０をリム１１に装着することにより、空気入りタイヤとリムとの間にタイヤ空洞１２を形成する空気入りタイヤとリムとの組立体であって、前記リムに接着され、組立体の回転に伴う遠心力によりタイヤ空洞内においてタイヤ径方向へ立ち上がる１以上の吸音装置１３を有しており、前記吸音装置は、ゴム材１４とその一端側に設けられた吸音材１５とからなり、前記ゴム材は、その他端側がリムに対する接着部であって、該ゴム材は、立ち上がり方向に屈曲した状態を維持し易い構造（蛇腹状）としたことを特徴とする。【選択図】図６
2012218594.tif 000002
【特許請求の範囲】
【請求項１】
空気入りタイヤをリムに装着することにより、空気入りタイヤとリムとの間にタイヤ空洞を形成する空気入りタイヤとリムとの組立体であって、
前記リムに接着され、組立体の回転に伴う遠心力によりタイヤ空洞内においてタイヤ径方向へ立ち上がる１以上の吸音装置を有しており、
前記吸音装置は、ゴム材とその一端側に設けられた吸音材とからなり、
前記ゴム材は、その他端側がリムに対する接着部であって、該ゴム材は、立ち上がり方向に屈曲した状態を維持し易い構造とした
ことを特徴とする空気入りタイヤとリムとの組立体。
【請求項２】
ゴム材は、少なくとも接着部に近接する非接着部を含む領域において、ゴム材の下層部より上層部が立ち上がり方向に屈曲した状態を維持し易い構造としたことを特徴とする請求項１に記載の空気入りタイヤとリムとの組立体。
【請求項３】
ゴム材は、その上層部にリム幅方向の溝を形成したことを特徴とする請求項２に記載の空気入りタイヤとリムとの組立体。
【請求項４】
ゴム材は、その上層部が下層部より軟質か、又は、下層部が上層部より軟質のゴムよりなる複層構造としたことを特徴とする請求項２又は３に記載の空気入りタイヤとリムとの組立体。
【請求項５】
ゴム材は、形状記憶素材が組み込まれ、温度の上昇により前記形状記憶素材がゴム材を立ち上がらせる方向に屈曲し、その状態を維持するように構成したことを特徴とする請求項１〜４に記載の空気入りタイヤとリムとの組立体。
【請求項６】
ゴム材は、その接着部がリム面に沿って接着したことを特徴とする請求項１〜５のいずれか１項に記載の空気入りタイヤとリムとの組立体。
【請求項７】
ゴム材は、その接着部が他端側の端面であり、リム面に対して直立する方向に接着したことを特徴とする請求項１〜５のいずれか１項に記載の空気入りタイヤとリムとの組立体。
【発明の詳細な説明】
【技術分野】
【０００１】
本発明は、走行中の車両のロードノイズを低減する空気入りタイヤとリムとの組立体に関する。
【背景技術】
【０００２】
近年、自動車等の車両の走行時における騒音に対して、さらなる低騒音化、静粛化が望まれている。自動車等の車両の走行時に発生する騒音には様々なものがあるが、中でもタイヤにより発生する騒音については、荒れた路面を走行した際に、５０〜４００Hzの周波数範囲で「ゴー」といういわゆるロードノイズがあり、このロードノイズは車両内に伝わり、乗員に不快感を与えている。このようなロードノイズには、空気入りタイヤをリムに装着した際に、リム周囲に形成されかつタイヤとリムとが囲む空洞が気柱管を構成して空気が共鳴振動（空洞共鳴）することにより発生するものがある。
【０００３】
そこで、タイヤ内部空洞で発生する共鳴を低減させ、車両内に伝わる騒音を低減させるための技術として、下記特許文献１及び２に示されるように、空洞内に吸音や遮音のための物体を配する方法が提案されている。
【０００４】
下記特許文献１には、空気入りタイヤとリムとの組立体において、組立体の回転に伴う遠心力によりリムの外周面からタイヤ半径方向に立ち上がり、タイヤ内腔を遮る１以上の立ち上がり部を配置し、該立ち上がり部は、少なくとも一部に不織布からなる吸音部を具えた構造が示されている。また、立ち上がり部としては、タイヤ内腔で立ち上がり、かつ、空気を透過しないものであれば、バンド基体を切り込んだ切り込み片より形成されることに限定されることなく種々のものを採用できることが示されている。さらに、バンド基体は伸縮性のある加硫ゴムからなり、厚さはリム装着前において０．５〜３ｍｍにすることが示されている。さらにまた、不織布の厚さは１０ｍｍ未満にすることが示されている。
【０００５】
下記特許文献２には、両サイドのビードのところでタイヤの内壁に結合され、その他のところ、即ち、サイドウォール及びクラウンのところでは結合されていない気泡層を具えたタイヤが示されている。そして、この気泡層は、大部分がタイヤの内壁に結合されておらず、それにより、この気泡層は、第１空洞モードのピークに対して減衰作用を発揮することが示されている。すなわち、多孔質吸音材をタイヤ空洞内に配置しており、タイヤの断面内方向に音が透過した際に低減効果が得られる構造となっている。
【先行技術文献】
【特許文献】
【０００６】
【特許文献１】特開２００１−３４７８０７号公報
【特許文献２】特開２００８−２７３５１７号公報
【発明の概要】
【発明が解決しようとする課題】
【０００７】
しかしながら、上記特許文献１に記載の構造では、立ち上がり部が車体の加減速やタイヤ空洞内の空気流れ等の影響を受けると、垂直に立ち上がった状態を保持できない。
【０００８】
また、上記特許文献２に記載の構造では、製造が難しく、コストが高い欠点がある。また、タイヤ空洞内の遮蔽体は体積が大きいほど空洞共鳴が下がることが知られており、そのことからすれば、気泡層により形成される折り畳み部の体積が小さく、折り畳み部により空洞内を遮る領域が小さいために、騒音低減の効果が少ない。
【０００９】
そこで、本発明者は、鋭意研究を重ねた結果、タイヤ空洞内において、組立体の回転に伴う遠心力により、リムの外周面からタイヤ半径方向に立ち上がるだけでなく、立ち上がり部が車体の加減速やタイヤ空洞内の空気流れ等の影響を受けても、ほぼ垂直に立ち上がった状態を保持し、走行状態にかかわらず、騒音を低減できる吸音装置を備えた空気入りタイヤとリムとの組立体を開発した。
【課題を解決するための手段】
【００１０】
本発明に係る空気入りタイヤとリムとの組立体は、空気入りタイヤをリムに装着することにより、空気入りタイヤとリムとの間にタイヤ空洞を形成する空気入りタイヤとリムとの組立体であって、前記リムに接着され、組立体の回転に伴う遠心力によりタイヤ空洞内においてタイヤ径方向へ立ち上がる１以上の吸音装置を有しており、前記吸音装置は、ゴム材とその一端側に設けられた吸音材とからなり、前記ゴム材は、その他端側がリムに対する接着部であって、該ゴム材は、立ち上がり方向に屈曲し、更にその状態を維持しやすい構造としたことを特徴とする。
【００１１】
上記の構成において、吸音材の材質としては、空気の透過性、吸音性及び重量を考慮して、不織布やフェルトなどの３次元立体繊維構造体を使用することが望ましい。また、ゴム材及び吸音材の形状は、平板状のものに限らず、柱状や円筒状のものでもよい。さらに、平板状のゴム材及び吸音材を使用することを例にとると、ゴム材の厚みは０．５〜３ｍｍが好ましく、吸音材の厚みは２〜３０ｍｍが好ましく、ゴム材との接着強度を維持できる程度にゴム材と吸音材の厚みを調整するのが望ましい。ゴム材においては、リムとの接着部を薄くし、吸音材の接着部を厚くするように厚みが変化するものでもよく、吸音材についても、ゴム材との接着部をゴム材の厚みに合わせて薄くし、漸次厚く変化するようなものでもよい。
【００１２】
上記構成において、ゴム材は、少なくとも接着部に近接する非接着部を含む領域において、ゴム材を複層構造とし、立ち上がり方向に屈曲した状態を維持し易い構造としてもよい。
【００１３】
また、上記のゴム材において、立ち上がり方向に屈曲した状態を維持し易い構造としては、ゴム材の上部にリム幅方向の溝を形成してもよい。
【００１４】
さらに、上記のゴム材において、立ち上がり方向に屈曲した状態を維持し易い構造としては、ゴム材の上層部がゴム材の下層部より硬質のゴムか、又は、ゴム材の上層部が温度によるゴムの軟化性が低いゴムよりなる複層構造としてもよい。
【００１５】
さらにまた、上記のゴム材は、形状記憶素材が組み込まれ、温度の上昇により前記形状記憶素材がゴム材を立ち上がらせる方向に屈曲し、その状態を維持するように構成してもよい。
【００１６】
また、上記の各ゴム材は、その接着部がリム面に沿って接着する構成としてもよい。
【００１７】
さらに、上記の各ゴム材は、その接着部が他端側の端面であり、リム面に対して直立する方向に接着する構成としてもよい。
【発明の効果】
【００１８】
上記のように構成したことにより、タイヤ空洞内の吸音装置による空洞共鳴の影響として、空気の流れが吸音材に当たることにより空気の流れに乱れが生じ、空洞共鳴が低減する。なお、吸音材の体積が大きいほど、空気の流れに大きな乱れが生じる。また、リムとの接着部がゴム材であることにより、吸音材を直接リムに取り付ける場合に比べて、吸音材の曲げ剛性に影響されずに吸音装置を遠心力により立ち上がらせることができる。さらに、タイヤ空洞内の空気と吸音材との音響インピーダンスが相違するため、その異なる界面における音波の反射や吸音材内部への透過により騒音エネルギーが減衰する。また、吸音材の素材内における音響エネルギーが熱に変換されることにより、騒音エネルギーが減衰する。
【００１９】
したがって、本発明に係る空気入りタイヤとリムとの組立体は、タイヤ空洞内において、組立体の回転に伴う遠心力によりリムの外周面からタイヤ半径方向に立ち上がり状態を維持し易くなり、騒音低減の効果をより一層増大させる利点がある。また、ゴム材の一端側に吸音材が設けられ、ゴム材の他端側が接着部であるため、吸音材が繰り返し立ち上がり、また、揺動することに対して吸音装置の耐久性が向上する。
【図面の簡単な説明】
【００２０】
【図１】本発明の実施形態に係るタイヤ径方向断面の模式図である。
【図２】本発明の実施形態に係るタイヤ幅方向断面の模式図である。
【図３】本発明の実施形態に係る吸音装置の模式図である。
【図４】本発明の実施形態に係る吸音装置と比較例１における吸音装置との設置状態を示す模式図であり、図中の（ａ）は実施形態に係る吸音装置であり、図中の（ｂ）は比較例１における吸音装置である。
【図５】本発明の実施例１に係る吸音装置の模式図である。
【図６】本発明の実施例１に係るタイヤ断面の一部省略斜視図である。
【図７】本発明の実施例１に係る吸音装置の立ち上がり状態を示す断面図である。
【図８】本発明の実施例１に係る吸音装置を示し、図中の（ａ）は平面図であり、（ｂ）は側面図である。
【図９】本発明の実施例１に係る吸音装置の溝形状の変更例を示す断面模式図であり、図中の（ａ）は変更例１であり、（ｂ）は変更例２であり、（ｃ）は変更例３であり、（ｄ）は変更例４であり、（ｅ）は変更例５である。
【図１０】本発明の実施例１と変更例１と変更例２と比較例３とにおける溝形状の比較図であり、図中の（ａ）は実施例１であり、図中の（ｂ）は変更例１であり、図中の（ｃ）は変更例２であり、図中の（ｄ）は比較例３である。
【図１１】本発明の実施例２に係る吸音装置の模式図である。
【図１２】本発明の実施例２に係るタイヤ断面の一部省略斜視図である。
【図１３】本発明の実施例２に係る吸音装置の立ち上がり状態を示す断面図である。
【図１４】本発明の実施例２に係る吸音装置の変更例を示す断面模式図である。
【図１５】本発明の実施例３に係るタイヤ断面の一部省略斜視図である。
【図１６】本発明の実施例３に係る吸音装置を示し、図中の（ａ）はタイヤ転動時において吸音装置が直立した状態を示すタイヤ周方向断面図であり、図中の（ｂ）はタイヤ静止時において吸音装置が寝ている状態を示すタイヤ周方向断面図である。
【発明を実施するための形態】
【００２１】
以下、本発明に係る 空気入りタイヤとリムとの組立体の好適な実施の形態を添付の図面に基づいて詳細に説明する。
【００２２】
図１は、空気入りタイヤＡとリムＢとが形成するタイヤ空洞Ｃに吸音装置Ｄを３箇所設置し、吸音装置Ｄにおける吸音材Ｅが立ち上がっている状態を示すタイヤ径方向の断面を表す模式図である。図１に示すように、タイヤ周長に対して等間隔に吸音装置Ｄを設置するのが空気入りタイヤＡとリムＢとの組立体のバランスを保つ意味で好ましい。なお、図１においては３箇所であるが、これに限られるものではない。図２は、空気入りタイヤＡとリムＢとが形成するタイヤ空洞Ｃに設置した吸音装置Ｄの吸音材Ｅが立ち上がっている状態を示すタイヤ幅方向の断面を表す模式図である。図２に示されるように、タイヤ空洞部Ｃにおいて、吸音材Ｅは遠心力によりリムＢの外周面Ｂ１から垂直に立ち上がる。図３は、吸音装置Ｄにおいてゴム材Ｆが屈曲して吸音材Ｅが立ち上がった状態を示す模式図である。本発明にかかる実施形態は、ゴム材ＦがリムＢから立ち上がる方向に屈曲した状態を維持し易くするために、ゴム材Ｆに下記実施例に詳細に示す構成を付加したものである。
【００２３】
図４は、本発明の実施形態の有効性を比較するために、本発明の実施形態により吸音装置Ｅが立ち上がっている状態と、特許文献１に示される吸音装置（比較例１）が立ち上がっている状態とを示す模式図である。この実施形態と比較例１と吸音装置を設置しない状態（比較例２）とについて比較テストを行った結果、表１に示す結果となった。
【００２４】
比較テストにおいては、リムサイズが１７×７−ＪＪの一般の自動車用ホイールに、サイズ２１５／５５Ｒ１７のタイヤをリム組みした（空気圧２３０ｋＰａ）。ドラム試験では、アスファルトのように表面に凹凸を設けたドラム（外周５３６４．５ｍｍ）において、速度６０ｋｍ／ｈでドラムを回転させながら、タイヤにドラム方向に荷重４．４ｋＮをかけて、上下（荷重）方向及び前後方向の軸にかかる力を計測し、空洞共鳴周波数域におけるそれぞれのピークレベルを比較した。なお、５００Ｈｚ以下の周波数位置の車室内騒音は、構造物（サスペンションからボディまで）を伝わる個体伝播が主であり、タイヤ軸力が車室内騒音と関係している。
【００２５】
【表１】
2012218594.tif 000003
【００２６】
以上の結果から、本実施形態による吸音装置Ｄが騒音低減に有効であることが判る。
【実施例１】
【００２７】
図５〜図１０は、実施例１に関するものであり、図５〜図８において、１０は空気入りタイヤであり、１１はリムであり、リム１１に空気入りタイヤ１０を嵌め込んだ組立体としたときにタイヤ空洞１２が形成され、リム１１上には、吸音装置１３が取り付けられている。該吸音装置１３は、ゴム材部分１４と吸音材部分１５とからなり、ゴム材部分１４の一方の端部側に吸音材部分１５を突き合わせて、貼着等の接着手段により取り付けられており、ゴム材部分１４の他方の端部側はリム１１に対する接着部１４ａであり、リム１１の表面に沿って貼着されている。したがって、吸音装置１３は、ゴム材部分１４の接着部１４ａのみがリム１１に接着しており、それ以外は、リム１１に接着されていないので、組立体が回転すると、遠心力によりリム１１に接着されていない吸音材部分１５を含む吸音装置１３の一部がタイヤ空洞１２内においてタイヤ径方向に立ち上がる。このゴム材部分１４には、前記の接着部１４ａに近接する非接着部を含む領域において、ゴム材部分１４の上層部にリム幅方向の複数の溝１６が形成された蛇腹部１７となっており、ゴム材部分１４はこの蛇腹部１７により立ち上がり方向に屈曲した状態を維持しやすくなっている。溝１６は、掘り下げ部分の先端部１６ａが鋭角となっており、頂部１６ｂは細幅（約０．１ｍｍ）の平坦部をなす断面形状である。ゴム材部分の厚みは、本実施例においては３ｍｍであるが、１〜３ｍｍの範囲が好ましく、その範囲未満であると溝１６を形成したときの強度が不足し、その範囲を超えると質量が大きくなりすぎる。蛇腹部１７の幅は、本実施例においては、４．７ｍｍであるが、１〜６ｍｍの範囲が好ましく、その範囲未満であると屈曲しにくくなり、その範囲を超えると立ち上がり方向に屈曲した状態を維持する機構が上手く働かなくなる。また、溝１６の数は、本実施例においては４個であるが、３〜６個の範囲が好ましく、その範囲未満であると強度が不足し、その範囲を超えると生産性が悪くなる。
【００２８】
図９は、実施例１の変更例を示すものであり、実施例１における溝１６の変形である。変更例１における溝１６１の掘り下げ部分の先端部１６１ａが鋭角になっており、頂部１６１ｂも鋭角をなす断面形状である。変更例２における溝１６２は、掘り下げ部分が２段階に角度が変化しており、先端部１６２ａは鋭角であり、頂部１６２ｂに向かう途中で角度が広くなっており、頂部１６２ｂは、細幅の平坦部をなす断面形状である。変更例３における溝１６３は掘り下げ部分の先端部１６３ａが円形をなしており、屈曲を繰り返すことにより亀裂が生じるのを防止する効果があり、頂部１６３ｂは、細幅の平坦部をなす断面形状である。変更例４における溝１６４は、掘り下げ部分の先端部１６４ａが湾曲したＵ事情をなし、頂部１６４ｂは、細幅の平坦部をなす断面形状である。変更例５における溝１６５は実施例１と同様であるが、蛇腹部の一方の端部の頂部１６５ｂに突出部１６５ｃを形成し、ゴム材部分が屈曲したときに、屈曲しすぎないストッパの役割を果たす断面形状である。
【００２９】
次に、実施例１の吸音装置１３における蛇腹部について、その耐久性の比較テストを行ったので、これについて説明する。
【００３０】
図１０において、（ａ）は上記において説明した実施例１に係る吸音装置１３におけるゴム材部分１４の蛇腹部１７を示す。（ｂ）は、上記において説明した変更例１の溝１６１の断面形状を有する蛇腹部である。（ｃ）は、上記において説明した変更例２の溝１６２の断面形状を有する蛇腹部である。（ｄ）は、蛇腹部を有しない場合であり、これを比較例３とした。その結果を表２に示す。表中の「変形しやすい範囲」に示す角度はタイヤ法線方向を９０°として見た角度である。図１０（ａ）及び図１０（ｂ）において、「スリット角度１」とは、溝１６、１６１において、両側の溝壁面が交わることで、溝先端１６ａ、１６１ａで形成される角度であり、８０°〜１００°／スリット数の範囲が望ましい。また、図１０（ｃ）において、「スリット角度１」とは、溝１６２において、両側の溝壁面の延長上の交点で形成される角度θであり、９０°〜１００°／スリット数の範囲が望ましく、「スリット角度２」とは、溝１６２において、両側の溝壁面が交わることで、溝先端１６２ａで形成される角度であり、８０°〜９０°／スリット数の範囲が望ましい。
【００３１】
【表２】
2012218594.tif 000004
【００３２】
その結果、実施例１の蛇腹部１７及び変更例２の蛇腹部は耐久性が十分あり、変更例１の蛇腹部は標準的な耐久性があり、比較例３のように蛇腹部を形成しない場合はクラックが発生した結果、耐久性に乏しいことが判った。
【実施例２】
【００３３】
図１１〜図１３は実施例２に関するものであり、実施例２は、実施例１に示すゴム材部分１４の構造を変更したものであり、実施例２におけるゴム材部分２１４は、少なくとも接着部２１４ａに近接する非接着部を含む領域において、その上層部２１６ａが下層部２１６ｂより硬質のゴムよりなる複層構造としたものである。なお、前記の硬質のゴムとは、ゴム硬度が軟質か硬質かの違いである場合と、温度によるゴムの軟化性が高い場合と低い場合とを含む。それ以外の構成は実施例１と同様である。すなわち、図１１〜図１３において、２１０は空気入りタイヤであり、２１１はリムであり、リム２１１に空気入りタイヤ２１０を嵌め込んだ組立体としたときにタイヤ空洞２１２が形成され、リム２１１上には、吸音装置２１３が取り付けられている。該吸音装置２１３は、ゴム材部分２１４と吸音材部分２１５とからなり、ゴム材部分２１４の一方の端部側に吸音材部分２１５を突き合わせて、貼着等の接着手段により取り付けられており、ゴム材部分２１４の他方の端部側はリム２１１に対する接着部２１４ａである。したがって、吸音装置２１３は、ゴム材部分２１４の接着部２１４ａのみがリム２１１に接着しており、それ以外は、リム２１１に接着されていないので、組立体が回転すると、遠心力によりリム２１１に接着されていない吸音材部分２１５を含む吸音装置２１３の一部がタイヤ空洞２１２内においてタイヤ径方向に立ち上がる。
【００３４】
上記のように、ゴム材を２層とすることで、任意の方向に屈曲した状態を維持しやすくすることができるので、実施例２におけるゴム材部分２１４においては上層部２１６ａを下層部２１６ｂより硬質のゴムとしたので、立ち上がり方向に屈曲した状態を維持しやすくなる。
【００３５】
上記の吸音装置２１３について、その立ち上がり状態の維持しやすさを比較した。その結果を表３及び表４に示す。表３はゴムの硬度の違いを比較したものであり、表４は温度によるゴムの軟化性の違いを比較したものである。各表中において、「状態の維持しやすさ」とは、立ち上がり部が車体の加減速やタイヤ空洞内の空気流れ等の影響を受けても、ほぼ垂直に立ち上がった状態を保持する能力のことである。また、表３において「硬質」とは、ゴムの硬度が、温度２３度におけるモジュラス［単位ＭＰａ］が８．０〜１５．５の範囲にあるものを望ましいものとして採用し、温度２３度におけるモジュラス［単位ＭＰａ］が１１．５〜１５．５の範囲にあるものがさらに望ましい。表３において「軟質」とは、ゴムの硬度が、温度２３度におけるモジュラス［単位ＭＰａ］が０．５〜８．０の範囲にあるものを望ましいものとして採用し、０．５〜４．５の範囲にあるものがさらに望ましい。また、表４において「高い」とは、ゴムの軟化性が、温度上昇に対する弾性率の変化の傾きが負である場合であり、「低い」とは、ゴムの軟化性が、温度上昇に対する弾性率の変化の傾きが正である場合である。
【００３６】
【表３】
2012218594.tif 000005
【００３７】
【表４】
2012218594.tif 000006
【００３８】
以上の結果から、上層部のゴムの硬度が硬質の場合及び上層部の温度によるゴムの軟化性が低い場合は立ち上がり状態の維持しやすさが良好であり、下層部のゴムの硬度が硬質の場合及び下層部の温度によるゴムの軟化性が低い場合は立ち上がりにくいことが判った。したがって、スリット深さが深すぎると、屈曲により吸音装置が破壊される恐れがあるが、上層部に硬質のゴムもしくは軟化性の低いゴムを使用することで、スリット深さが浅い構成でも、十分な「状態の維持しやすさ」を得ることができる。
【００３９】
なお、実施例２ではゴム材を２層としているが、それ以上の複数構造でも良い。その一例を図１４に示す。図１４に示すものは、上層部、中層部及び下層部からなる３層構造であるが、形状及び構造はこれに限られるものではない。
【実施例３】
【００４０】
図１５及び図１６は実施例３に関するものであり、実施例３は、ゴム材部分のリム面に対する接着方向を変更したものである。すなわち、実施例３におけるゴム材部分３１４は、図１６に示すように、その接着部３１４ａが、ゴム材部分３１４の吸音材部分３１５を取り付けていない反対側である他端側の端面であり、リム３１１の表面に対して直立する方向に接着したものである。すなわち、図１５及び図１６において、３１０は空気入りタイヤであり、３１１はリムであり、リム３１１に空気入りタイヤ３１０を嵌め込んだ組立体としたときにタイヤ空洞３１２が形成され、リム３１１上には、吸音装置３１３が取り付けられている。該吸音装置３１３は、ゴム材部分３１４と吸音材部分３１５とからなり、ゴム材部分３１４の一方の端部側に吸音材部分３１５を突き合わせて、貼着等の接着手段により取り付けられており、ゴム材部分３１４の他方の端部側はリム３１１に対する接着部３１４ａである。したがって、吸音装置３１３は、ゴム材部分３１４の接着部３１４ａのみがリム３１１に接着しており、それ以外は、リム３１１に接着されていないので、組立体が回転すると、図１６（ａ）に示すように、遠心力によりリム３１１に接着されていない吸音材部分３１５を含む吸音装置３１３の一部がタイヤ空洞３１２内においてタイヤ径方向に立ち上がる。
【００４１】
以上のように構成したことにより、タイヤ停止時には、ゴム材部分３１４の弾力性及び吸音材部分３１５の重量により、図１６（ｂ）に示すように、吸音装置３１３がリム面上に寝ている状態となるが、タイヤ転動時には、本来的にはゴム材部分３１４の接着部３１４ａは直立した状態で接着していることから、図１６（ａ）に示すように、直立状態に戻り、リム面から立ち上がり状態を維持しやすくなる。
【実施例４】
【００４２】
実施例４は、図示は省略するが、吸音装置におけるゴム材部分に、形状記憶素材が組み込まれ、温度の上昇により前記形状記憶素材がゴム材を立ち上がらせる方向に屈曲し、その状態を維持するように構成したものである。組み込まれる形状記憶素材としては、形状記憶ポリマーが好ましい。形状記憶ポリマーとは、成形加工後に力を加えて変形しても、ある温度以上に加熱すると元の形状に回復するポリマーである。主な形状記憶ポリマーとしては、ポリノルボルネン、トランスポリイソプレン、スチレン-ブタジエン共重合体、ポリウレタン等がある。実施例４における吸音装置のゴム材部分に使用する形状記憶素材として形状記憶ポリマーを使用することが好ましい理由は、価格が安い、形状変化率が高い、軽い、加工しやすい、着色しやすい等の優れた特徴があるためである。
【００４３】
上記のゴム材部分は、これに形状記憶素材を加熱状態において組み込んで直立状態に加工した後、常温においてこれに力を加えてリム面に沿う状態に変形する。前記ゴム材部分を使用した空気入りタイヤとリムとの組立体は、タイヤ転動時においてタイヤ空洞が加熱され、この加熱によりゴム材部分に組み込まれた形状記憶素材が、直立状態に戻ろうとする。その結果、吸音装置がリム面に対して立ち上がることとなる。
【００４４】
なお、本発明に係る空気入りタイヤとリムとの組立体は、上記の実施例に限られるものではなく、特許請求の範囲に記載の構成を逸脱しない範囲における様々な実施形態が可能である。
【符号の説明】
【００４５】
Ａ・・・・空気入りタイヤ        Ｂ・・・・リム
Ｂ１・・・リムの外周面          Ｃ・・・・タイヤ空洞
Ｄ・・・・吸音装置              Ｅ・・・・吸音材
Ｆ・・・・ゴム材
１０・・・空気入りタイヤ        １１・・・リム
１２・・・タイヤ空洞            １３・・・吸音装置
１４・・・ゴム材部分            １４ａ・・接着部
１５・・・吸音材部分            １６・・・溝
１６ａ・・溝の先端部            １６ｂ・・溝の頂部
１７・・・蛇腹部
１６１・・溝
１６１ａ・溝の先端部            １６１ｂ・溝の頂部
１６２・・溝
１６２ａ・溝の先端部            １６２ｂ・溝の頂部
１６３・・溝
１６３ａ・溝の先端部            １６３ｂ・溝の頂部
１６４・・溝
１６４ａ・溝の先端部            １６４ｂ・溝の頂部
１６５・・溝
１６５ｂ・溝の頂部              １６５ｃ・突出部
２１０・・空気入りタイヤ        ２１１・・リム
２１２・・タイヤ空洞            ２１３・・吸音装置
２１４・・ゴム材部分            ２１４ａ・接着部
２１５・・吸音材部分
２１６ａ・上層部                ２１６ｂ・下層部
３１０・・空気入りタイヤ        ３１１・・リム
３１２・・タイヤ空洞            ３１３・・吸音装置
３１４・・ゴム材部分            ３１４ａ・接着部
３１５・・吸音材部分
【図１】
2012218594.tif 000007
【図２】
2012218594.tif 000008
【図３】
2012218594.tif 000009
【図４】
2012218594.tif 000010
【図５】
2012218594.tif 000011
【図６】
2012218594.tif 000012
【図７】
2012218594.tif 000013
【図８】
2012218594.tif 000014
【図９】
2012218594.tif 000015
【図１０】
2012218594.tif 000016
【図１１】
2012218594.tif 000017
【図１２】
2012218594.tif 000018
【図１３】
2012218594.tif 000019
【図１４】
2012218594.tif 000020
【図１５】
2012218594.tif 000021
【図１６】
2012218594.tif 000022